(57)【要約】【課題】ナースコールシステムに備えられたオートドアの開閉扉状態を把握できるようにする。【解決手段】患者が看護師を呼び出すためのナースコール子機１と、ナースコール子機１からの呼び出しを看護師に知らせるための廊下灯２と、ナースコール子機１からの呼び出しに看護師が応答するためのナースコール親機３と、廊下灯２、ナースコール親機３を制御する制御機４とを備え、制御機４には、開扉時にオートドアＩＤ情報を含む開扉信号Ｓ１を送出するオートドア４０が開扉信号Ｓ１を受信可能に接続され、ナースコール親機３は、制御機４を介して送信される開扉信号Ｓ１を受信してオートドア４０の開閉状態を表示するディスプレイ３１ａを有する。【選択図】図１
2006230893.tif 000002
【特許請求の範囲】
【請求項１】
患者が看護師を呼び出すためのナースコール子機（１、１、・・・）と、前記ナースコール子機からの呼び出しを看護師に知らせるための廊下灯（２、２、・・・）と、前記ナースコール子機からの呼び出しに看護師が応答するためのナースコール親機（３、３、・・・）と、前記廊下灯、前記ナースコール親機を制御する制御機（４）とを備え、
前記制御機には、開扉時にオートドアＩＤ情報を含む開扉信号（Ｓ１）を送出するオートドア（４０）および解錠時に電気錠ＩＤ情報を含む解錠信号（Ｓ２）を送出する電気錠付ドア（６０）のうち少なくとも一つが前記開扉信号または前記解錠信号を受信可能に接続され、
前記ナースコール親機は、前記制御機を介して送信される前記開扉信号または前記解錠信号を受信して前記オートドアまたは前記電気錠付ドアの開閉状態を表示するディスプレイ（３１ａ）を有することを特徴とするナースコールシステム。
【請求項２】
前記ナースコール親機は、前記制御機を介して送信される前記開扉信号または前記解錠信号について前記オートドアまたは前記電気錠付ドア毎に順次、最新のものを記憶する記憶部（３１ｂ）を有することを特徴とする請求項１記載のナースコールシステム。
【請求項３】
前記ナースコール親機は、前記制御機を介して送信される前記開扉信号または前記解錠信号を前記オートドアまたは前記電気錠付ドア毎に順次、記憶する記憶部（３１ｂ）を有することを特徴とする請求項１記載のナースコールシステム。
【請求項４】
前記ナースコール親機は、前記開扉信号または前記解錠信号を一定時間以上受信した場合に警報を行なう警報部（３１ａ、３２ａ）を有することを特徴とする請求項１乃至請求項３何れか１項記載のナースコールシステム。
【請求項５】
前記ナースコール親機は、前記オートドアまたは前記電気錠付ドア毎に警戒時間帯を設定し、前記警戒時間帯において前記開扉信号または前記解錠信号を一定時間以上受信した場合は警報を行なう警報部（３１ａ、３２ａ）を有することを特徴とする請求項４記載のナースコールシステム。
【請求項６】
前記ナースコール親機は、前記開扉信号または前記解錠信号を一定時間以上受信した場合は、当該開扉信号または当該解錠信号を一定時間以上送信している前記オートドアまたは前記電気錠付ドアに対してＩＤ情報を含む閉扉信号（Ｓ３）またはＩＤ情報を含む施錠信号（Ｓ４）を送信する制御を行なうＣＰＵ（３１ｃ）を有することを特徴とする請求項１乃至請求項５何れか１項記載のナースコールシステム。
【請求項７】
前記記憶部には、病院における映像を撮像するカメラのＩＤ情報がオートドアのオートドアＩＤ情報または電気錠付ドアの電気錠ＩＤ情報と関連付けられて記憶され、
前記ナースコール親機は、前記開扉信号または前記解錠信号を一定時間以上受信した場合は、前記開扉信号または前記解錠信号に含まれるＩＤよりオートドアまたは電気錠付ドアを特定し、関連付けられたカメラを制御して、前記カメラからの映像を前記ディスプレイに表示することを特徴とする請求項２乃至請求項６何れか１項記載のナースコールシステム。
【請求項８】
前記ナースコール親機は、前記カメラからの映像を録画する録画部（３１ｄ）を有することを特徴とする請求項７記載のナースコールシステム。
【発明の詳細な説明】
【技術分野】
【０００１】
本発明はナースコールシステムに係り、特にナースコールシステムに備えられたオートドアの開閉扉状態または電気錠付ドアの施解錠状態を把握することができるナースコールシステムに関する。
【背景技術】
【０００２】
従来から、病院の病棟に入棟する外来者や病床から離れた患者の存在を管理すると共に、扉の開閉時における安全管理を可能とするナースコール装置が知れている（例えば、特許文献１参照）。
【０００３】
このナースコール装置は、病棟の病室内の各病床に設置されたナースコール子機と、病室毎に設置されナースコール子機からの呼び出しを看護師に知らせるための廊下灯と、ナースコール子機からの呼び出しに看護師が応答するためのナースコール親機と、集合廊下灯およびナースコール親機を制御するナースコール制御機と、ナースコール制御機に接続され病棟の出入口付近を撮像してそこに居る人物を監視するための監視カメラと、ナースコール制御機に接続されると共に病棟の出入口付近に設置されるオートドアや電気錠付ドアなどの扉とを備えている。
【０００４】
このように構成されたナースコール装置は、ナースコール子機でナースコール親機を呼び出すと、その呼出情報が廊下灯を介してナースコール制御機に送信され、そのナースコール制御機からナースコール親機に送信されるので、ナースコール親機でナースコール子機から呼び出しがあったことを確認できる。また、監視カメラが病棟の出入口付近の人物を撮像した場合は、その映像情報がナースコール制御機を介してナースコール親機に送信されるので、ナースセンターに在室している看護師は扉に取り付けられている施錠状態の電気錠を解錠操作する前に、病棟の出入口付近に居る人物を容易に確認することができる。
【０００５】
【特許文献１】特開２００４−３４４５３８号公報
【発明の開示】
【発明が解決しようとする課題】
【０００６】
しかしながら、背景技術において示したナースコール装置では、ナースコール親機でオートドアや電気錠付ドアなどの扉の開閉扉状態や施解錠状態を確認することができなかった。また、ナースコール親機でオートドアや電気錠付ドアなどの扉を制御することができなかった。
【０００７】
本発明は、このような従来の難点を解決するためになされたもので、ナースコールシステムにオートドアや電気錠付ドアを連動させ、さらに、その開閉扉状態や施解錠状態をナースコール親機で表示することで、セキュリテイ機能を向上させることができるナースコールシステムを提供することを目的とする。
【課題を解決するための手段】
【０００８】
本発明のナースコールシステムは、患者が看護師を呼び出すためのナースコール子機と、ナースコール子機からの呼び出しを看護師に知らせるための廊下灯と、ナースコール子機からの呼び出しに看護師が応答するためのナースコール親機と、廊下灯、ナースコール親機を制御する制御機とを備えるものである。
【０００９】
第１の態様であるナースコールシステムの制御機には、開扉時にオートドアＩＤ情報を含む開扉信号を送出するオートドアおよび解錠時に電気錠ＩＤ情報を含む解錠信号を送出する電気錠付ドアのうち少なくとも一つが開扉信号または解錠信号を受信可能に接続され、ナースコール親機は、制御機を介して送信される開扉信号または解錠信号を受信してオートドアまたは電気錠付ドアの開閉状態を表示するディスプレイを有するものである。
【００１０】
このようなナースコールシステムによれば、制御機に接続されるオートドアの開閉扉状態や電気錠付ドアの施解錠状態をナースコール親機のディスプレイで視覚により確認できるので、システムのセキュリティ機能が向上する。
【００１１】
また、第２の態様は第１の態様であるナースコールシステムにおいてナースコール親機が、制御機を介して送信される開扉信号または解錠信号についてオートドアまたは電気錠付ドア毎に順次、最新のものを記憶する記憶部を有するものである。これにより、記憶部にオートドアの開扉や電気錠付ドアの解錠について最新の情報のみが蓄積されるので、ナースコール親機の記憶部のメモリ容量を小さくすることができる。
【００１２】
また、第３の態様は第１の態様であるナースコールシステムにおいてナースコール親機が、制御機を介して送信される開扉信号または解錠信号をオートドアまたは電気錠付ドア毎に順次、記憶する記憶部を有するものである。これにより、記憶部は順次、オートドアの開扉や電気錠付ドアの解錠の情報を蓄積しているので、後日等にオートドアや電気錠付ドアの状態をナースコール親機で確認することができる。
【００１３】
また、第４の態様は第１の態様乃至第３の態様の何れかであるナースコールシステムにおいてナースコール親機が、開扉信号または解錠信号を一定時間以上受信した場合に警報を行なう警報部を有するものである。これにより、一定時間、オートドアが開扉状態や電気錠付ドアが解錠状態であればナースコール親機が警報を行なうことができるので、ナースシテーション内の看護師がそのことを確認できる。
【００１４】
また、第５の態様は第４の態様であるナースコールシステムにおいてナースコール親機が、オートドアまたは電気錠付ドア毎に警戒時間帯を設定し、警戒時間帯において開扉信号または解錠信号を一定時間以上受信した場合は警報を行なう警報部を有するものである。これにより、夜間等の時間帯のみ警報を行なうようにできるので、患者の出入りの多い昼間の時間帯には、警報を行なわないように設定しておくことができる。
【００１５】
また、第６の態様は第１の態様乃至第５の態様の何れかであるナースコールシステムにおいてナースコール親機が、開扉信号または解錠信号を一定時間以上受信した場合は、当該開扉信号または当該解錠信号を一定時間以上送信しているオートドアまたは電気錠付ドアに対してＩＤ情報を含む閉扉信号またはＩＤ情報を含む施錠信号を送信する制御を行なうＣＰＵを有するものである。これにより、一定時間、オートドアが開扉状態や電気錠付ドアが解錠状態であれば、ナースコール親機のＣＰＵが強制的にオートドアを閉扉したり電気錠付ドアを施錠したりすることができる。
【００１６】
また、第７の態様は第２の態様乃至第５の態様の何れかであるナースコールシステムにおいて記憶部には、病院における映像を撮像するカメラのＩＤ情報がオートドアのオートドアＩＤ情報または電気錠付ドアの電気錠ＩＤ情報と関連付けられて記憶され、ナースコール親機は、開扉信号または解錠信号を一定時間以上受信した場合は、開扉信号または解錠信号に含まれるＩＤよりオートドアまたは電気錠付ドアを特定し、関連付けられたカメラを制御して、カメラからの映像をディスプレイに表示するものである。これにより、警報と同時に、その該当箇所を撮像するカメラが作動し、そのカメラで撮像された映像をナースコール親機のディスプレイで視覚により確認できる。
【００１７】
また、第８の態様は前記第７の態様であるナースコールシステムにおいてナースコール親機が、カメラからの映像を録画する録画部を有するものである。これにより、看護師はナースコール親機の前に不在であった時にカメラで撮像された映像を確認することができる。
【発明の効果】
【００１８】
本発明のナースコールシステムによれば、制御機に接続されるオートドアの開閉扉状態や電気錠付ドアの施解錠状態をナースコール親機のディスプレイで視覚により確認できることから、システムのセキュリティ機能が向上するので、防犯性の高いシステムを構築できるようになる。
【発明を実施するための最良の形態】
【００１９】
以下、本発明のナースコールシステムにおける好ましい実施の形態例について、図面を参照して説明する。
【００２０】
本発明の好ましい実施の形態例であるナースコールシステムは図１に示すように、病室等の患者のベッド付近に設置され患者が看護師を呼び出すためのナースコール子機１と、各病室等の出入口近傍や廊下先に設置されナースコール子機１からの呼び出しを看護師に知らせるための廊下灯２と、ナースステーション内に設置されナースコール子機１からの呼び出しに応答するためのナースコール親機３と、廊下灯２、ナースコール親機３を制御する制御機４とを備えている。なお、ここで言う看護師には、医師も含むものとする。また、ナースコール子機１、廊下灯２およびナースコール親機３は、病院のシステム形態に基づき設置台数が決定される。
【００２１】
複数のナースコール子機１は廊下灯２に接続され、このナースコール子機１が接続される各廊下灯２は通信ケーブルである廊下灯接続幹線Ｌ１にバス接続されており、この廊下灯接続幹線Ｌ１は制御機４に接続されている。なお、図１においては、各廊下灯２が廊下灯接続幹線Ｌ１にバス接続されている子機用伝送系統は２つ設けられているが、この伝送系統数に限られるものではなく、例えばフロア数に基づき決定される。複数のナースコール親機３はそれぞれ通信ケーブルＬ２によって制御機４に接続されている。このようなナースコール子機１、廊下灯２、制御機４、ナースコール親機３間を接続している廊下灯接続幹線Ｌ１、通信ケーブルＬ２にはＣＰＥＶ（市内対ポリエチレン絶縁ビニルシースケーブル）等の通信ケーブルが使用されている。以下、通信ケーブルというときはＣＰＥＶ等の通信ケーブルのことをいうものとする。
【００２２】
また、ナースコール親機３はＬＡＮケーブルＬ３によりＨＵＢ５に接続され、このナースコール親機３が接続される各ＨＵＢ５はＬＡＮケーブルであるＨＵＢ接続幹線Ｌ４に直列接続されている。なお、複数のＨＵＢ５のうち１台には各ナースコール親機３を管理する管理用パーソナルコンピュータ６がＬＡＮケーブルＬ３を介して接続されている。
【００２３】
次に、各機器の詳細について説明する。
【００２４】
ナースコール子機１は、病室等の室内の壁面や当該壁面等に設けられた病室コンソール（メディカルコンソール）の何れかに固定され個別の子機番号を有するプレート子機１１と、プレート子機１１に着脱自在に接続され病室等の患者が看護師を呼び出すためのハンドボタン１２と、プレート子機１１に着脱自在に接続され患者が看護師に対して所定の呼出操作を行うと共に看護師との間で相互に通話を行うための通話機能を有するハンド子機１３とを備えている。
【００２５】
廊下灯２は、個別の廊下灯番号を有しており、病室等の病床毎の患者からの呼び出しや、病室等の病床毎の患者を看護／担当している看護師からの緊急呼び出しを検出して、呼出元の患者や看護師と呼出先の看護師との間で成立する通話路を形成するものである。また、廊下灯２には、患者や看護師から呼び出しがあった旨を病室の出入口近傍や廊下先に居る看護師に音あるいは視覚的な表示で知らせる機能を有している。
【００２６】
ナースコール親機３は、ディスプレイ３１ａを有するＰＣ（パーソナルコンピュータ）ナースコール３１と、ナースコール通話部３２とから構成されている。ナースコール通話部３２は、ナースコール親機３と制御機４に通信ケーブルＬ５によって接続されている。
【００２７】
制御機４は、中継器として設置されており、接続されている機器をそれぞれ制御（信号処理、通話路の選択等）するものである。
【００２８】
また、管理用パーソナルコンピュータ６は、液晶ディスプレイなどの表示装置を有し、複数のナースコール親機３のそれぞれに予め登録された操作可能な看護師のオペレータを特定するための利用者情報と照合して、許可されたオペレータのみ管理操作可能なものである。
【００２９】
このようなナースコールシステムは、さらに、制御機４に交換機接続用の通信ケーブルＬ６を介して構内交換機８（以下、「ＰＢＸ８」という。）が接続されている。このＰＢＸ８は基地局接続用の通信ケーブルＬ７を介してハンディナース基地局９に接続されている。このハンディナース基地局９は、看護師等が携帯する携帯端末としてのハンディナース２０と無線による情報のやりとりをすることができる。
【００３０】
また、ナースコールシステムの制御機４には、開扉時にオートドアＩＤ情報を含む開扉信号Ｓ１を送出するオートドア４０と、解錠時に電気錠ＩＤ情報を含む解錠信号Ｓ２を送出する電気錠付ドア６０が、それぞれの信号Ｓ１、Ｓ２を受信可能に接続されている。具体的には、オートドア４０は通信ケーブルＬ１０を介してコントロールアダプタ７０に接続され、コントロールアダプタ７０は通信ケーブルＬ１１を介して制御機４に接続されている。また、電気錠付ドア６０は通信ケーブルＬ１２を介して電気錠コントローラ８０に接続され、電気錠コントローラ８０は通信ケーブルＬ１３を介してコントロールアダプタ７０に接続されている。コントロールアダプタ７０は、信号増幅することができるので、線路長を気にすることなくオートドア４０、電気錠付ドア６０を設置することができる。
【００３１】
このようなオートドア４０や電気錠付ドア６０の状態など病院における映像を撮像するインターネット・カメラ９０が設置されている。このインターネット・カメラ９０は、ＬＡＮケーブルＬ８を介してＨＵＢ５に接続されている。
【００３２】
また、このようなオートドア４０、電気錠付ドア６０を制御する機能を、ナースコール親機３は有している。
【００３３】
このナースコール親機３は、制御機４を介して送信される開扉信号Ｓ１または解錠信号Ｓ２を受信してオートドア４０または電気錠付ドア６０毎に順次、最新のものを記憶する記憶部３１ｂを有している。これにより、記憶部３１ｂにオートドア４０の開扉や電気錠付ドア６０の解錠について最新の情報のみが蓄積されるので、ナースコール親機３の記憶部３１ｂのメモリ容量を小さくすることができる。
【００３４】
また、ナースコール親機３は、開扉信号Ｓ１または解錠信号Ｓ２を一定時間以上受信した場合に警報を行なう警報部として、ＰＣナースコール３１のディスプレイ３１ａとナースコール通話部３２のスピーカ３２ａを使用する。この警報機能はＰＣナースコール３１のＣＰＵ３１ｃが有している。これにより、一定時間、オートドア４０が開扉状態や電気錠付ドア６０が解錠状態であればナースコール親機３が警報を行なうことから、ナースステーション内の看護師がそのことを確認できるので、セキュリティ機能が向上する。
【００３５】
また、ナースコール親機３は、オートドア４０または電気錠付ドア６０毎に警戒時間帯を設定し、この警戒時間帯において開扉信号Ｓ１または解錠信号Ｓ２を一定時間以上受信した場合は、ＰＣナースコール３１のディスプレイ３１ａとナースコール通話部３２のスピーカ３２ａを警報部として使用して警報を行なうことができる。この警報機能はＰＣナースコール３１のＣＰＵ３１ｃが有している。これにより、見舞い客を禁止している夜間等の時間帯のみ警報を行なうようにできるので、患者の出入りの多い昼間の時間帯には、警報を行なわないようにすることができる。
【００３６】
また、ＰＣナースコール３１のＣＰＵ３１ｃは、開扉信号Ｓ１または解錠信号Ｓ２を一定時間以上受信した場合は、当該開扉信号Ｓ１または当該解錠信号Ｓ２を一定時間以上送信しているオートドア４０または電気錠付ドア６０に対してオートドアＩＤ情報を含む閉扉信号Ｓ３または電気錠ＩＤ情報を含む施錠信号Ｓ４を送信する制御を行なう機能を有している。これにより、一定時間、オートドア４０が開扉状態や電気錠付ドア６０が解錠状態であれば、ＰＣナースコール３１のＣＰＵ３１ｃが強制的にオートドア４０を閉扉したり電気錠付ドア６０を施錠したりすることができるので、セキュリティ機能が向上する。なお、このような制御は制御機４で行なうこともできる。
【００３７】
また、ＰＣナースコール３１の記憶部３１ｂには、オートドア４０や電気錠付ドア６０の状態を監視するインターネット・カメラ９０のカメラＩＤ情報がオートドア４０のオートドアＩＤ情報または電気錠付ドア６０の電気錠ＩＤ情報と関連付けられて記憶されている。このオートドアＩＤ情報や電気錠ＩＤ情報を利用する機能をナースコール親機３が有している。この機能はＰＣナースコール３１のＣＰＵ３１ｃが有し、開扉信号Ｓ１または解錠信号Ｓ２を一定時間以上受信した場合は、開扉信号Ｓ１または解錠信号Ｓ２に含まれるＩＤ情報よりオートドア４０または電気錠付ドア６０を特定し、関連付けられたインターネット・カメラ９０を制御して、インターネット・カメラ９０からの映像をＰＣナースコール３１のディスプレイ３１aに表示する機能である。これにより、警報と同時に、その該当箇所を撮像するインターネット・カメラ９０が作動し、そのインターネット・カメラ９０で撮像された映像をＰＣナースコール３１のディスプレイ３１aで視覚により確認できるので、セキュリティ機能が向上する。なお、ＰＣナースコール３１にインターネット・カメラ９０からの映像を録画する録画部３１ｄを設けてもよい。これにより、看護師は不在時に訪れた訪問者を確認することができる。
【００３８】
このように構成されたナースコールシステムによる動作について、以下説明する。
【００３９】
何れかの病室内の患者がナースコール子機１のハンドボタン１２やハンド子機１３を用いて呼び出しをかけると、呼出信号がプレート子機１１から廊下灯２を介して廊下灯接続幹線Ｌ１に伝送され制御機４で受信される。制御機４で受信された呼出信号は通信ケーブルＬ５を介して呼び出されたナースコール親機３のナースコール通話部３２で受信され、当該ナースコール通話部３２で呼び出しがあったことを報知する。その報知をＰＣナースコール３１のディスプレイ３１ａで確認した看護師が報知があったナースコール通話部３２で応答すると、このナースコール親機３のナースコール通話部３２と、呼び出しをしたナースコール子機１との通話路が形成され、ナースステーション内の看護師と病室内の患者との通話が成立する。また、この患者からの呼び出しをハンディナース２０で確認した看護師が当該ハンディナース２０にて呼出応答すると、ハンディナース２０と呼び出しをしたナースコール子機１との通話路が形成され、巡回中の看護師と病室内の患者との通話が成立する。
【００４０】
一方、ナースステーション内の看護師や巡回中の看護師が病室内の特定患者を呼び出すには、ナースステーション内のナースコール親機３のＰＣナースコール３１のディスプレイ３１ａのタッチパネル（図示せず）またはナースコール通話部３２で呼び出したり、ハンディナース２０で呼び出したりする。ＰＣナースコール３１のディスプレイ３１ａのタッチパネル（図示せず）またはナースコール通話部３２やハンディナース２０から呼び出しをかけると、呼出信号が制御機４に受信され通信ケーブルＬ１に伝送される。呼び出しされた患者用のナースコール子機１が接続された廊下灯２は、その呼出信号を受信して当該ナースコール子機１に伝送する。ナースコール子機１は、呼び出しがあったことをプレート子機１１やハンド子機１３から報知するとともに、呼び出しをしたナースコール親機３あるいはハンディナース２０との通話路が形成されるので、ナースステーション内や巡回中の看護師等と病室内の患者との通話が成立する。
【００４１】
次に、本発明の特徴であるオートドア４０の開閉扉状態をナースコール親機３で表示させる動作について説明する。
【００４２】
例えば、オートドア４０が開扉されると、当該オートドア４０を特定するオートドアＩＤ情報を含む開扉信号（例えば、メーク信号）がコントロールアダプタ７０に送出され、コントロールアダプタ７０は当該開扉信号を制御機４に送信する。制御機４はこの開扉信号をナースコール親機３に送信する。
【００４３】
ナースコール親機３のＰＣナースコール３１は、受信した開扉信号を蓄積情報として記憶部３１ｂに蓄積する。情報の蓄積は最新の情報を常に上書きして保存するものである。なお、保存する情報には、オートドアＩＤ情報を含む開扉信号と共に時刻なども記憶される。このような情報が記憶部３１ｂに蓄積されたナースコール親機３でオートドア４０の開扉状態を確認するために、ナースコール親機３のＰＣナースコール３１の操作部で確認操作を行うと、ディスプレイ３１ａ上にその情報が表示されるので、視覚にて確認することができる。なお、複数のオートドア４０が制御機４に接続されている場合には、それらの一覧情報が表示される。この一覧情報では、各オートドア４０の現在の開閉情報が表示されており、所望のオートドアの情報を選択すると、さらに詳細な情報を確認することができる。なお、オートドアの情報をナースコール親機３で確認する操作方法は上述したような操作方法には限らず、これまで知られたいかなる操作方法であっても採用することができる。
【００４４】
また、ナースコール親機３で開扉信号Ｓ１を受信してから一定時間たってもオートドア４０が開扉のままであった場合には、ナースコール親機１におけるＰＣナースコール３１のディスプレイ３１ａやナースコール通話部３２のスピーカ３２ａから警報を出力する。なお、ナースコール親機３で警戒時間帯が設定されている場合には、その警戒時間帯にオートドア４０が開扉して一定時間以上経過したら、ナースコール親機１におけるＰＣナースコール３１のディスプレイ３１ａやナースコール通話部３２のスピーカ３２ａから警報を出力させることもできる。また、この警戒時間帯としては、看護師の準夜勤や夜勤の時間帯にしてもよく、この場合、日勤においては警報出力を行なわないように設定することができる。この際、夜勤の場合において、ナースコール親機３の警報設定時間を例えばゼロにすると、その警戒時間帯にオートドア４０が開扉したら、すぐにナースコール親機１におけるＰＣナースコール３１のディスプレイ３１ａやナースコール通話部３２のスピーカ３２ａから警報を出力させることができるようになる。
【００４５】
このような警報を確認した看護師は、ナースコール親機３のＰＣナースコール３１の操作部でオートドア４０を閉扉する操作をすると、ナースコール親機１におけるＰＣナースコール３１のＣＰＵ３１ｃは閉扉信号Ｓ３を制御機４に送信する。制御機４は閉扉信号Ｓ３をコントロールアダプタ７０を介してオートドア４０に送信するので、オートドア４０を強制的に閉扉することができる。
【００４６】
また、ナースコール親機３で、開扉信号Ｓ１を一定時間以上受信した場合に当該開扉信号Ｓ１を一定時間以上送信しているオートドア４０に対してＩＤ情報を含む閉扉信号Ｓ３を送信するように設定されていると、オートドア４０が一定時間以上開扉のままであれば、ナースコール親機１におけるＰＣナースコール３１のＣＰＵ３１ｃは閉扉信号Ｓ３を制御機４に送信する。制御機４は閉扉信号Ｓ３をコントロールアダプタ７０を介してオートドア４０に送信するので、オートドア４０を強制的に閉扉することができる。
【００４７】
さらに、ナースコール親機３で、開扉信号Ｓ１を一定時間以上受信した場合に、開扉信号Ｓ１に含まれるオートドアＩＤ情報よりオートドア４０を特定し、関連付けられたインターネット・カメラ９０を制御して、インターネット・カメラ９０からの映像をＰＣナースコール３１のディスプレイ３１aに表示するように設定されていると、オートドア４０が一定時間以上開扉のままであれば、ナースコール親機１におけるＰＣナースコール３１のディスプレイ３１ａやナースコール通話部３２のスピーカ３２ａから警報を出力すると共に、当該ＰＣナースコール３１のディスプレイ３１ａに該当するオートドア４０の映像を表示させることができる。また、このインターネット・カメラ９０からの映像をＰＣナースコール３１の録画部３１ｄに録画した場合には、看護師は不在時に訪れた訪問者を確認することができる。
【００４８】
なお、上述した本発明の実施例においては、オートドア４０の開閉扉状態をナースコール親機３で表示させる動作について説明したが、これに限らず、電気錠付ドア６０の施解錠状態をナースコール親機３で表示させることもでき、その動作はオートドア４０の場合と同様なので説明を省略する。
【００４９】
また、上述した本発明の実施例においては、ナースコール親機３におけるＰＣナースコール３１の記憶部３１ｂは制御機４を介して送信される開扉信号Ｓ１または解錠信号Ｓ２を受信してオートドア４０または電気錠付ドア６０毎に順次、最新のもの記憶する機能を有していたが、これに限らず、制御機４を介して送信される開扉信号Ｓ１または解錠信号Ｓ２を受信してオートドア４０または電気錠付ドア６０毎に順次、記憶する機能を有するものでもよい。この場合、記憶部３１ｂは順次、オートドア４０の開扉や電気錠付ドア６０の解錠の情報をログ情報として蓄積させることができるので、後日等にオートドア４０や電気錠付ドア６０の状態をナースコール親機３で確認することができる。
【００５０】
さらに、病院のシステム形態によって、オートドア４０および電気錠付ドア６０のうち何れか一方だけが設置されている場合でも同様の効果を得ることができる。
【図面の簡単な説明】
【００５１】
【図１】本発明のナースコールシステムにおける好ましい実施の形態例を示す全体構成図である。
【符号の説明】
【００５２】
１、１、・・・……ナースコール子機
２、２、・・・……廊下灯
３、３、・・・……ナースコール親機
３１ａ……ディスプレイ
３１ｂ……記憶部
３１ｃ……ＣＰＵ
３１ｄ……録画部
３２ａ……スピーカ
４……制御機
４０……オートドア
６０……電気錠付ドア
【図１】
2006230893.tif 000003